(57)【要約】  発光パネルはガラスシートと、光線を生成するために使用されかつパネルの内側に配置される電子構成要素とからなる。本発明のパネルは一つ又は複数のガラスシート及び少なくとも一つの光反射構造体を与えられた電子構成要素を含む光線放出構造集成体を含み、光線放出構造体は反射構造体と機械的に固定するための手段を与えられる。必要により、拡散システムが集成体に加えられることができる。【特許請求の範囲】
【請求項１】
少なくとも一つのガラスシート、及び光線を生成することができる複数の電子構成要素から構成される、光線を放出するためのパネルであって、電子構成要素がパネルの内側に位置されているものにおいて、一つ以上のガラスシート及び電子構成要素を含む少なくとも一つの光線放出構造体と、光線を反射する少なくとも一つの構造体の集成体とを含み、光線放出構造体がそれを反射構造体に固定するための機械的な固定手段を与えられていることを特徴とする、光線を放出するためのパネル。
【請求項２】
電子構成要素が、反射構造体上にそれらの光線を送る指向性光線生成器を含むことを特徴とする、請求項１に記載の光線を放出するためのパネル。
【請求項３】
反射構造体が光線の少なくとも一部のためのミラーからなり、前記ミラーが光線放出構造体と接触していないことを特徴とする、請求項１又は２に記載の光線を放出するためのパネル。
【請求項４】
ミラーが、反射性金属表面を有する要素又は白又は明色を有する表面を有する要素からなるものから選択されることを特徴とする、請求項３に記載の光線を放出するためのパネル。
【請求項５】
反射性金属表面が、少なくとも一つのガラスシート上に付着された金属膜の表面であることを特徴とする、請求項４に記載の光線を放出するためのパネル。
【請求項６】
金属膜の金属が銀又は銀合金であることを特徴とする、請求項５に記載の光線を放出するためのパネル。
【請求項７】
金属膜が、光線を受ける側とは反対の側のミラーのガラスシートの表面上に位置されることを特徴とする、請求項５又は６に記載の光線を放出するためのパネル。
【請求項８】
固定手段が、光線放出構造体及び反射構造体を実質的に平行に維持することを特徴とする、請求項１〜７のいずれかに記載の光線を放出するためのパネル。
【請求項９】
光線放出構造体及び反射構造体が、互いに対して接触して位置されることを特徴とする、請求項８に記載の光線を放出するためのパネル。
【請求項１０】
光線放出構造体及び反射構造体が、それらの表面上の全ての点において少なくとも０．５ｃｍ離れて位置されることを特徴とする、請求項８に記載の光線を放出するためのパネル。
【請求項１１】
ミラーの少なくとも一つのガラスシートが、光線の少なくとも一部を分散するための少なくとも一つの分散手段を与えられていることを特徴とする、請求項５〜１０のいずれかに記載の光線を放出するためのパネル。
【請求項１２】
分散手段が、表面の艶消、表面のサンドブラスチング又は表面のレリーフの印刷からなり、分散手段を与えられたガラス表面の研磨特性を除去することを特徴とする、請求項１１に記載の光線を放出するためのパネル。
【請求項１３】
ミラーの少なくとも一つのガラスシートが、光線を反射する金属膜の面とは反対の面上にレリーフを形成するように印刷された表面を与えられることを特徴とする、請求項１２記載の光線を放出するためのパネル。
【請求項１４】
拡散構造がさらに、光線放出構造体に対して反射構造体の側とは反対の側上に、集成体の端の一方に位置されることを特徴とする、請求項１〜１３のいずれかに記載の光線を放出するためのパネル。
【請求項１５】
固定手段が、拡散、光線放出及び反射構造体をそれらの隣接表面上の全ての点において少なくとも０．５ｃｍ離れかつ実質的に平行に維持することを特徴とする、請求項１４に記載の光線を放出するためのパネル。
【請求項１６】
拡散構造体が単一ガラスシートからなり、そのシートがその二つの面の少なくとも一つの上に艶消、サンドブラスチング又はレリーフの印刷をなされていることを特徴とする、請求項１４又は１５に記載の光線を放出するためのパネル。
【請求項１７】
拡散構造体が、不織ガラス繊維の層又は少なくとも一つの拡散プラスチックシートの各側上に一緒に圧縮された少なくとも二つのガラスシートを含む積層ガラスからなることを特徴とする、請求項１４〜１６のいずれかに記載の光線を放出するためのパネル。
【請求項１８】
プラスチックがポリエステルから選択されることを特徴とする、請求項１７に記載の光線を放出するためのパネル。
【請求項１９】
ポリエステルがポリビニルブチラール、エチレン／酢酸ビニルコポリマー及びポリエチレンテレフタレートから選択されることを特徴とする、請求項１８に記載の光線を放出するためのパネル。
【請求項２０】
拡散構造体が反射構造体と一致することを特徴とする、請求項１４〜１９のいずれかに記載の光線を放出するためのパネル。
【請求項２１】
光線が２００ｎｍ〜１ｍｍの波長を有することを特徴とする、請求項１〜２０のいずれかに記載の光線を放出するためのパネル。
【請求項２２】
光線が可視スペクトルの光線であることを特徴とする、請求項２１に記載の光線を放出するためのパネル。
【請求項２３】
電子構成要素が発光ダイオード又はＬＥＤであることを特徴とする、請求項１〜２２のいずれかに記載の光線を放出するためのパネル。
【請求項２４】
ＬＥＤが、ＬＥＤが設けられる光線放出構造体のガラスシート上に付着された電気伝導性の半透明層によって電力供給されることを特徴とする、請求項２３に記載の光線を放出するためのパネル。
【請求項２５】
領域が狭い絶縁帯によって電気伝導性層の残りから分離されていることを特徴とする、請求項２４に記載の光線を放出するためのパネル。
【請求項２６】
ＬＥＤが電気伝導性の線の格子によって電力供給されることを特徴とする、請求項２３に記載の光線を放出するためのパネル。
【発明の詳細な説明】
【技術分野】
【０００１】
本発明は、光線密度がパネルの全表面にわたって良好に分布されている、電子構成要素によって生成される光線を出すガラスパネルに関する。
【背景技術】
【０００２】
発光ダイオードが装着される電気伝導性帯を被覆されたガラスから作られた透明支持体パネルを含み、その透明支持体を通してそれらの光を放出する照明装置が知られている（米国特許第６２７０２３６Ｂ１）。
【０００３】
しかしながら、この公知の装置は、発光ダイオードに従った極めて明るい多数の光点から形成されたパネルとして見え、これらの光点は、黒又は極めて暗い領域によって分離される。これは、パネルが照明又は装飾用途に使用されるためにはあまり好都合でない効果をもたらす。
【発明の開示】
【０００４】
本発明は、光線を発生する多数の電子構成要素を含み、光線密度がパネルの全表面にわたって良好に分布されるガラスパネルを提供することによってこの欠点を克服する。
【０００５】
この目的のため、本発明は、請求項１に規定されたような光線を放出するためのパネルに関する。
【０００６】
従属請求項は、本発明の他の可能な実施態様を規定し、それらの幾つかは好ましい。
【０００７】
上述の眩惑効果の実質的な減少、又はさらには不存在を別として、本発明はまた、以下の利点の一つ以上を提供しうる。
・パネルの表面の範囲にわたる光線密度のより良好な分布；
・光線放出構成要素の数の減少の可能性；
・構成要素に対する電力供給システムの単純化；
・パネルの美観の改良。
【０００８】
本発明による光線を放出するためのパネルは少なくとも一つのガラスシートから構成される。用語「ガラスシート」は、１〜５０ｍｍで変化しうる厚さを有するガラス板を意味するものとして理解される。厚さはシートの表面上の異なる点で変化してもよい。表面は平坦でも湾曲されてもよい。しかしながら、表面上のあらゆる点で一定の厚さを有する平坦なガラスシートが好ましい。ガラスがソーダライムガラス、硼珪酸ガラス、結晶及び半結晶ガラス、又はオパールガラスの如き一つ以上の公知のタイプのガラスからなるかどうかは重要でない。ガラスの色は中性（透明又はグレーガラス）であってもよく又は多少飽和されてもよい（赤から紫で変化しうる色で表面上又は厚さを通した着色）。色はシートの全表面にわたって均一に分布されてもよく、又は逆に、それはパネルの表面の一つ以上の特定の領域に局在化されてもよい。均一に中性であるか又は表面全体にわたってもしくはシートの厚さを通して均一に着色されたシートが好ましい。シートのガラスはまた、透明であってもよく、又は逆に、それは可視スペクトルの周波数より上又は下の光線を多少濾過してもよい。
【０００９】
本発明によるパネルはまた、光線を生成する複数の電子構成要素から構成される。「光線（ｌｉｇｈｔ  ｒａｄｉａｔｉｏｎ）」は、可視スペクトルに属する光線とそれの外に属する光線の両方を意味することが理解される。かかる光線は完全に単色であってもよく、又は逆に、一つ以上の周波数帯（それは隣接していてもしていなくてもよい）にわたって分布されてもよい。これらの構成要素は、光電子特性を与えられた様々な電子構成要素、及び可視スペクトル内にある光線の外側の光線を、おそらくこのスペクトル内にある光線とともに放出することができる構成要素から選択されてもよい。これらは、例えば可視スペクトルで発光するＬＥＤ、又はＵＶ及び／又は可視及び／又はＩＲダイオードである。
【００１０】
本発明によれば、これらの構成要素はパネルの内側に位置される。即ち、それらはパネルの内側の表面に位置され、前記表面はその外部環境と接触を持たない。
【００１１】
パネルは少なくとも一つの反射構造体と少なくとも一つの光線放出構造体の集成体である。用語「光線放出構造体（ｅｍｉｔｔｉｎｇ  ｓｔｒｕｃｔｕｒｅ）」は、ガラスシート（単数又は複数）及び電子構成要素を含むいかなる構造体も意味することが理解される。用語「反射構造体」は、光線放出構造体によって放出される光線の少なくとも幾らかを反射することができるいかなる構造体も意味することが理解される。放出された光線は完全に又は部分的に反射されることができ、光線の残りは反射構造体によって吸収されるか及び／又はそれを透過する。
【００１２】
３５％〜９５％の範囲の光反射率を有する反射構造体が一般に好ましい。
【００１３】
好ましい光線放出構造体の例は表面上に電子構成要素を担持する平坦なガラスシートである。反射構造体の例は光線放出構造体に平行なミラーである。これらのパネルでは、周囲雰囲気を充填されうる又は充填されない間隙が光線放出構造体と反射構造体の間に入る。あるいは、光線放出構造体と反射構造体は互いに、直接又は一つ以上のプラスチックシートもしくは追加のガラスシートの挿入によって接触してもよい。
【００１４】
本発明によれば、光線放出構造体は、反射構造体に固定するための固定手段を与えられている。これらの手段は異なった様々なタイプのものであってもよい。例えば、それらは、単一の複合部品として作られた集成体を堅固にするように光線放出構造体及び反射構造体の縁を包囲する木製又は金属製フレームからなってもよい。好ましくは、光線放出構造体と反射構造体は、それらの表面上の全ての点で少なくとも０．５ｃｍ離れて位置される。あるいは、固定手段はまた、例えば接着によって、又はプラスチック及び／又はガラスから作られた一つ以上の中間層シートを光線放出構造体及び反射構造体の表面の各々に、互いに対して接触した態様で面して溶融することによって製造されてもよい。また、少なくとも一つのフレームを少なくとも一つの中間層シートと組み合わせることもできる。
【００１５】
本発明によるパネルの第一の好ましい実施態様では、電子構成要素は指向性光線生成器を含む。好ましくは、これらの構成要素は、反射構造体の方向に光線を放出するように配向される。さらに好ましくは、光線の方向は反射構造体の表面に垂直であるか又は垂直に近い。
【００１６】
第一実施態様と両立できる、本発明によるパネルの別の好ましい実施態様によれば、反射構造体は、反射性金属表面を有する要素又は白又は明色を有する表面を有する要素からなるものから選択されたミラーである。さらに好ましいものは、反射性金属表面が少なくとも一つのガラスシート上に付着された金属膜の表面であるミラーを含むパネルである。金属膜の金属は銀又は銀合金であることが有利である。金属膜は、ガラスシートの光線が入射する側上に位置されてもよく、その厚さは一般に７０〜１２０ｎｍの範囲であってもよい。
【００１７】
本発明によるパネルにおけるミラーの別の実施態様は、ミラーの少なくとも一つのガラスシートが光線の少なくとも一部を分散するための少なくとも一つの分散手段を与えられていることである。この分散手段は、このガラスシートの表面の艶消、このシートのサンドブラスチング、又は光線を反射する金属膜を有する側とは反射の側の表面上のレリーフの印刷から選択されてもよい。艶消は例えばフッ化水素酸水溶液によって実施されてもよい。
【００１８】
本実施形態と両立しうるパネルのこの有利な実施形態では、ミラーの金属膜は、反射光線の特定の拡散を生成するようにミラーのガラスシートの表面の光線を受ける側とは反対の側に位置されてもよい。
【００１９】
両方の前の実施形態と両立しうる、本発明によるパネルの別の特に好ましい実施形態では、集成体の端の一方で、光線放出構造体に対して反射構造体の側とは反対の側上に拡散構造体が加えられる。
【００２０】
好ましくは、後者の実施形態では、拡散、光線放出及び反射構造体をそれらの表面上の全ての点で少なくとも０．５ｃｍ離れてかつ実質的に平行に保持する固定手段が選択される。
【００２１】
有利には、後者の実施形態では、拡散構造体は、艶消され、サンドブラストされ、又は二つの面の少なくとも一方をレリーフで印刷された単一のガラスシートからなる。
【００２２】
あるいは、拡散構造体はまた、もしくはさらに、不織ガラス繊維の層又は少なくとも一つの拡散プラスチックシートの各側上に一緒に圧縮された少なくとも二つのガラスシートを含む積層ガラスによって製造されてもよい。プラスチックは、ポリエステル、例えばポリビニルブチラール、エチレン／酢酸ビニルコポリマー及びポリエチレンテレフタレートから選択されてもよい。
【００２３】
一つの有利な変形は、例えば上記の入射光線に対してガラスシートの後に金属膜を置く場合、金属膜のこの特定の配置がまた、光線を分散する手段として作用する場合、拡散構造体が反射構造体と一致することである。
【００２４】
全ての前の実施形態と両立しうる、本発明によるパネルの別の実施形態では、電子構成要素によって生成される光線は２００ｎｍ〜１ｍｍの波長を有する。好ましくは、この実施形態では、光線は可視スペクトル内にある光線である。光線はまた、可視スペクトルの少なくとも一部、及び赤外及び／又は紫外スペクトルの少なくとも一部を含むことが有利でありうる。より好ましくは、電子構成要素はＬＥＤである。
【００２５】
後者の実施形態では、ＬＥＤは、ＬＥＤが設けられる光線放出構造体のガラスシート上に付着された電気伝導性半透明層によって電流を供給されることが有利である。好ましくは、領域は狭い絶縁帯によって電気伝導性層の残りから分離される。
【００２６】
電気伝導性領域に対する代替策として、ＬＥＤはまた、電気伝導性の線の格子によって電流を供給されてもよい。
【実施例】
【００２７】
本発明による光線を放出するためのパネルは、本発明を説明する実施例によって詳細に記載されるが、本発明をその範囲に限定する意図はない。
【００２８】
実施例１：ＬＥＤ及びバックミラーを含む照明パネル
図１は、３．１５ｍｍ厚の透明なガラスシート（１）、及び７０〜１２０ｎｍの厚さの金属銀膜（３）（通常の銀めっき）をその面の一つに担持する４ｍｍ厚の別のガラスシート（２）から構成される通常のミラーを含むパネルを示す。銀膜（３）は、従来のミラーのように、各々約５０ｍｍ厚の好適なペイントの二つの薄層によってその外部面上の腐食から保護される。
【００２９】
二つのガラスシートの間に挟まれているのは、０．７６ｍｍ厚の明色のＰＶＢ（ポリビニルブチラール）層（４）である。ＮＦＳＬ０３６タイプの及びＮＩＣＨＩＡ（登録商標）Ｗａｒｍ  ＷｈｉｔｅブランドのＬＥＤ（５）は、ガラスシート（２）と接触しており、両方向に５５ｍｍの均一な距離でＰＶＢ層（４）中に挿入される。
【００３０】
ＬＥＤ（５）は、５５ｍｍよりわずかに小さい幅及び４００ｎｍの厚さの狭い電気伝導性帯によって電流を供給され、前記電気伝導性帯はガラス（２）の表面をカバーする。それらは、可視スペクトルにわたる範囲の光束であって透明ガラスシート（１）を通過する光束を与える。
【００３１】
ミラー（２，３）、ＬＥＤ（５）、ＰＶＢ層（４）及び透明ガラスシート（１）を含む集成体全体は、ガラスシート（１，２）をＰＶＢシート（４）に合体する接着力によって機械的に集成される。
【００３２】
この集成体は、集成体の背後に位置されたミラーの金属膜（３）に到達しうるＬＥＤ（５）から来る全ての光を回収する利点、及びこの光を、ガラスシート（１）によって形成されたパネルの照明表面上に方向転換する利点を提供する。
【００３３】
実施例２：均一な光を出す装飾パネル
図２は、下部表面全体にわたってさらに均一に分布される光を出すパネルを示す。パネルは、０．７６ｍｍ厚の明色のＰＶＢ層（４）によって分離された二つの透明ガラスシート（１，２）（それぞれ３ｍｍ及び３．１５ｍｍの厚さ）を含む光線放出構造体からなる。可視光スペクトルを放出する、ＮＦＳＬ０３６タイプの及びＮＩＣＨＩＡ（登録商標）Ｗａｒｍ  ＷｈｉｔｅブランドのＬＥＤ（５）は、ＰＶＢ層（４）中に挿入され、両方向に互いに１００ｍｍ均一に分離されている。ＬＥＤ（５）はさらに、透明ガラスシート（１）を通してパネルの内部の方へそれらの光束を向けるような方法でこの光線放出構造体に配置される。それらは前の実施例のように約１００ｍｍ幅の電気伝導性帯によって電流を供給される。
【００３４】
さらに、印刷されたガラス（６）は光線放出構造体から３ｃｍの距離に位置される。このガラスは、この光線放出構造体に面する滑らかな面、及びパネルの外部の側上の均一な印刷された表面を有する。外部の印刷された表面は銀めっき（３）及び保護ペイントでカバーされ、これらはミラーのものと同様である。印刷されたガラス（６）及びペイントされた銀めっき（３）は、光線を反射しかつ拡散する構造体を形成する。木製フレーム（８）は構造体の集成を堅固にし、それらの間に３ｃｍ幅の空間（７）を規定する。空間（７）は周囲空気によって占有される。
【００３５】
実施例３：均一な光を出す装飾パネル
照明表面全体にわたってさらに均一に分布される光を出すパネルが図３に記載される。
【００３６】
この図では、上の実施例２と同じ光線放出及び反射構造体が存在することが見られ、これらは３ｃｍの同一空間によって分離される。ＬＥＤ（５）は再び、前の実施例２と同じ方法で電流を供給される。
【００３７】
この実施例では、これらの構造体は、０．７６ｍｍ厚の白色光の不透明ＰＶＢ層（９）から形成された追加の拡散構造体を追加され、それは二つの透明ガラスシート（１０）の間にクランプされる。
【００３８】
ここで再び、木製フレーム（８）は、光線放出、反射及び拡散構造体の集成を堅固にし、三つの構造体の各々の間に各々３ｃｍ幅の空間（７）及び（１１）を規定する。空間（７）及び（１１）は再び、周囲空気によって占有される。
【００３９】
実施例４：均一な光を出す装飾パネル
図４は、ここの空間（７）及び（１１）が周囲空気によってもはや占有されないが各々２．５ｃｍ厚の厚い透明ガラス板として具体化されることを除いて、前の実施例３に記載されたものと全ての点において同一の、下部表面全体にわたって均一に分布される光を出すパネルの代替実施形態を示す。これらの板は、三つの構造体の二つとそれぞれ接触するように位置される。
【図面の簡単な説明】
【００４０】
【図１】図１は、実施例１によるＬＥＤ及びバックミラーを含む照明パネルを示す。
【図２】図２は、実施例２による均一な光を出す装飾パネルを示す。
【図３】図３は、実施例３による均一な光を出す装飾パネルを示す。
【図４】図４は、実施例４による均一な光を出す装飾パネルを示す。
【図１】
2009516925.tif 000002
【図２】
2009516925.tif 000003
【図３】
2009516925.tif 000004
【図４】
2009516925.tif 000005
【国際調査報告】
2009516925.tif 000006
2009516925.tif 000007
2009516925.tif 000008
2009516925.tif 000009
2009516925.tif 000010
2009516925.tif 000011
2009516925.tif 000012
2009516925.tif 000013